(57)【要約】【課題】貯血槽内の血液の液面の挙動を迅速に確認することができる貯血槽を提供すること。【解決手段】貯血槽１は、実質的に透明な側壁３３を有し、内部に血液が貯留される貯血空間２５が形成されたハウジング２を備え、側壁３３には、貯血空間２５内の血液の液量を示す目盛り８と、貯血空間２５内の血液の液面Ｌの高さが変化した際、その変化を強調するマーカ９とが付されている。このマーカ９は、目盛り８の当該目盛り８が示す液量を最も注意すべき注意領域となる中間目盛り８２付近に位置している。【選択図】図２
2010207349.tif 000002
【特許請求の範囲】
【請求項１】
実質的に透明な側壁を有し、内部に血液が貯留される貯血空間が形成されたハウジングを備え、
前記側壁には、前記貯血空間内の血液の液量を示す目盛りと、前記貯血空間内の血液の液面の高さが変化した際、その変化を強調するマーカとが付されていることを特徴とする貯血槽。
【請求項２】
前記マーカは、前記目盛りの一部と重なっている請求項１に記載の貯血槽。
【請求項３】
前記注意領域には、単位目盛り当たりに示す液量が異なる２種類の目盛りが配されており、それらの目盛りのうちの一方の目盛りと前記マーカとが重なっている請求項２に記載の貯血槽。
【請求項４】
前記マーカの輪郭形状は、前記液面が前記マーカの上端に達してさらに下降したとき、側面視で、前記液面と前記マーカの輪郭線とが交差する２つの交点の間の長さが、前記マーカの最大幅の部分に達するまで長く変化し続けるような形状をなす請求項１ないし３のいずれかに記載の貯血槽。
【請求項５】
前記マーカは、前記液面に対し非平行な部分を有する請求項４に記載の貯血槽。
【請求項６】
前記マーカは、その輪郭形状が円形をなすものである請求項５に記載の貯血槽。
【請求項７】
前記マーカは、リング状をなすものである請求項６に記載の貯血槽。
【請求項８】
前記マーカは、前記目盛りの一部を覆うように付されており、
前記目盛りは、前記マーカを介して視認される請求項１ないし７のいずれかに記載の貯血槽。
【請求項９】
前記マーカは、その色が赤色のものである請求項１ないし８のいずれかに記載の貯血槽。
【発明の詳細な説明】
【技術分野】
【０００１】
本発明は、貯血槽に関する。
【背景技術】
【０００２】
例えば心臓外科手術においては、送血ポンプを作動して患者の静脈（大静脈）より脱血し、人工肺によりガス交換を行なった後、この血液を再び患者の動脈に戻すという人工肺体外血液循環が行なわれる。
【０００３】
人工肺体外血液循環においては、大静脈からの脱血ラインと動脈への送血ラインからなる主回路のほかに、術野に溜まった血液を吸引する吸引回路と心臓の内部に溜まった血液を吸引するベント回路が設けられる。
【０００４】
このような吸引回路およびベント回路において、術野（心臓外）から吸引した吸引血と、心臓の内部から吸引したベント血とは、これらの血液を一時的に貯留しておく貯血槽（カーディオトミーリザーバー）に導入される（例えば、特許文献１参照）。この特許文献１に記載の貯血槽には、その側面に、貯血量を示す目盛りが付されて（設けられて）いる。特許文献１に記載の貯血槽を使用しているときには、その操作者（技師）は、血液が貯血槽内に過不足なく（どの程度）貯留されているかを確認する必要がある。
【０００５】
しかしながら、血液の液面の高さは通常徐々に変化するため、目盛りと照らし合わせて液面を瞬間的に目視するのでは、その変化が、液面の高さが上昇するものであるか、または液面の高さが下降するものであるか、すなわち、貯血量（血液量）が増加傾向にあるのか、または貯血量が減少傾向にあるのかを把握するのが困難であった。このため、貯血槽内の血液が将来過剰となっていくのか、それとも不足していくのかを予測するのが困難であった。
【先行技術文献】
【特許文献】
【０００６】
【特許文献１】特開２００２−１６５８７８号公報
【発明の概要】
【発明が解決しようとする課題】
【０００７】
本発明の目的は、貯血槽内の血液の液面の挙動を迅速に確認することができる貯血槽を提供することにある。
【課題を解決するための手段】
【０００８】
このような目的は、下記（１）〜（９）の本発明により達成される。
（１）  実質的に透明な側壁を有し、内部に血液が貯留される貯血空間が形成されたハウジングを備え、
前記側壁には、前記貯血空間内の血液の液量を示す目盛りと、前記貯血空間内の血液の液面の高さが変化した際、その変化を強調するマーカとが付されていることを特徴とする貯血槽。
【０００９】
（２）  前記マーカは、前記目盛りの一部と重なっている上記（１）に記載の貯血槽。
【００１０】
（３）  前記注意領域には、単位目盛り当たりに示す液量が異なる２種類の目盛りが配されており、それらの目盛りのうちの一方の目盛りと前記マーカとが重なっている上記（２）に記載の貯血槽。
【００１１】
（４）  前記マーカの輪郭形状は、前記液面が前記マーカの上端に達してさらに下降したとき、側面視で、前記液面と前記マーカの輪郭線とが交差する２つの交点の間の長さが、前記マーカの最大幅の部分に達するまで長く変化し続けるような形状をなす上記（１）ないし（３）のいずれかに記載の貯血槽。
【００１２】
（５）  前記マーカは、前記液面に対し非平行な部分を有する上記（４）に記載の貯血槽。
【００１３】
（６）  前記マーカは、その輪郭形状が円形をなすものである上記（５）に記載の貯血槽。
【００１４】
（７）  前記マーカは、リング状をなすものである上記（６）に記載の貯血槽。
【００１５】
（８）  前記マーカは、前記目盛りの一部を覆うように付されており、
前記目盛りは、前記マーカを介して視認される上記（１）ないし（７）のいずれかに記載の貯血槽。
【００１６】
（９）  前記マーカは、その色が赤色のものである上記（１）ないし（８）のいずれかに記載の貯血槽。
【００１７】
また、本発明の貯血層では、前記マーカは、前記目盛りの該目盛りが示す液量を最も注意すべき注意領域付近に位置しているのが好ましい。
また、本発明の貯血層では、前記マーカは、有色透明なものであるのが好ましい。
【００１８】
また、本発明の貯血層では、前記マーカ上には、前記目盛りの一部が付されているのが好ましい。
前記マーカは、その大きさが可変なものであるのが好ましい。
【００１９】
また、本発明の貯血層では、前記マーカは、前記側壁に貼付された、互いに大きさが異なる複数の貼着物で構成され、それらの貼着物のうちの所定の貼着物が選択して用いられ、その選択された貼着物を除く他の貼着物を除去して用いられるのが好ましい。
【００２０】
また、本発明の貯血層では、前記マーカは、１枚のシート材で構成されたものであり、該シート材にリング状に切り込みが形成され、その切り込み部で囲まれた部分が前記貼着物となるのが好ましい。
【００２１】
また、本発明の貯血層では、前記各貼着物は、それぞれ、上端部同士または下端部同士が同じ高さに位置しているのが好ましい。
【発明の効果】
【００２２】
本発明によれば、貯血槽内の血液の液面の高さが変位した（変化した）際、その液面の挙動（高さの変位）がマーカによって確実に強調される。これにより、当該挙動を迅速に確認することができる。そして、貯血槽内の血液が将来過剰となっていくのか、それとも不足していくのかを予測することができる。
【００２３】
また、マーカが液面に対し非平行な部分を有し、さらにマーカの色が赤色である場合には、血液の液面がマーカの鉛直方向の範囲内に位置しているときには、当該液面から突出した赤い部分があるように視認される。この部分は、液面の変位によりその大きさが変化し、よって、液面の挙動がより確実に強調される。
【図面の簡単な説明】
【００２４】
【図１】本発明の貯血槽の第１実施形態を示す側面図である。
【図２】図１に示す貯血槽を矢印Ａ側から見た図（正面図）である。
【図３】図２に示す貯血槽内の液面の変化を示す図である。
【図４】本発明の貯血槽の第２実施形態を示す正面図である。
【図５】本発明の貯血槽の第３実施形態を示す正面図である。
【図６】本発明の貯血槽の第４実施形態を示す正面図である。
【図７】本発明の貯血槽の第５実施形態を示す正面図である。
【図８】本発明の貯血槽の第６実施形態を示す正面図である。
【図９】本発明の貯血槽の第７実施形態を示す正面図である。
【図１０】人工肺体外血液循環における回路図である。
【発明を実施するための形態】
【００２５】
以下、本発明の貯血槽を添付図面に示す好適な実施形態に基づいて詳細に説明する。
＜第１実施形態＞
図１は、本発明の貯血槽の第１実施形態を示す側面図、図２は、図１に示す貯血槽を矢印Ａ側から見た図（正面図）、図３は、図２に示す貯血槽内の液面の変化を示す図、図１０は、人工肺体外血液循環における回路図である。なお、以下では、説明の都合上、図１〜図９中の上側を「上」または「上方」、下側を「下」または「下方」と言う。
【００２６】
図１に示す貯血槽１は、大静脈から脱血した血液を一時的に貯留しておく貯血槽と、心臓外からの吸引血および心臓内からのベント血を一時的に貯留しておく貯血槽（カーディオトミーリザーバー）が一体になったものであり、ハウジング本体３と蓋体４とで構成されるハウジング２を有する。このハウジング２の内部には、血液を貯留する貯血空間２５が形成されている。この貯血槽１は、蓋体４がハウジング本体３よりも鉛直上方に位置するような姿勢で使用される。
【００２７】
ハウジング本体３は、図１中左側において下方に突出する突出部３１を有する箱形をなしており、この突出部３１の底部３２（下部）には、貯血空間２５に連通する管状の血液流出口６が形成されている。
【００２８】
蓋体４は、ハウジング本体３の上部開口を覆うようにハウジング本体３の上端に嵌合されている。また、蓋体４の所定位置には、管状の血液流入口５ａ、５ｂおよび５ｃがそれぞれ形成されている。
【００２９】
血液流入口５ａ〜５ｃおよび血液流出口６は、人工肺体外血液循環回路において、それぞれ次のように接続される。
【００３０】
図１０に示すように、血液流入口５ａ（第１の流入口）には、ベント吸引ライン８００のチューブが接続される。すなわち、血液流入口５ａには、心臓の内部（特に左心房、左心室）からポンプ８０３によって吸引された血液（以下、「ベント血」と言う。）が流入する。このベント血は、血液以外の脂肪球、組織片、変性蛋白、凝集塊等の異物の含有量が少なく、比較的損傷の少ない血液である。また、ベント血は、気泡の含まれる量も比較的少ない。
【００３１】
血液流入口５ｂ（第２の流入口）には、心腔（胸腔）内吸引ライン８０１のチューブが接続される。すなわち、血液流入口５ｂには、心腔（胸腔）内等の術野（心臓の外部）からポンプ８０２によって吸引された血液（以下、「吸引血」と言う。）が流入する。この吸引血は、前述したような異物の含有量が比較的多い。また、吸引血は、気泡の含まれる量も比較的多い。
【００３２】
血液流入口５ｃ（第３の流入口）には、脱血ライン８０４のチューブが接続される。すなわち、血液流入口５ｃには、大静脈から脱血した血液が流入する。
【００３３】
血液流入口５ａ〜５ｃから貯血槽１の内部に流入した血液は、後述する濾過消泡装置７ａ、７ｂで異物や気泡が除去されたのち、血液流出口６から流出する。
【００３４】
血液流出口６には、人工肺８０６に接続されるラインのチューブが接続される。このラインの途中には、送血ポンプ８０５が設置される。
【００３５】
人工肺８０６で酸素付加された血液は、送血ライン８０８のチューブを通って、動脈内に送られる。送血ラインの途中には、動脈フィルタ８０７が設置される。
【００３６】
また、血液流入口５ｃの側部（図１中紙面手前側）には、濾過消泡装置７ｂにプライミング液を注入する際に使用されるプライミング液注入口５ｄが形成されている。
【００３７】
また、血液流入口５ｃのプライミング液注入口５ｄと逆側の側部（図１中紙面奥側）には、脱気口５ｅが形成されている。濾過消泡装置７ａ、７ｂにより破泡された気泡は、その一部がこの脱気口５ｅから空気として外部へ排出される。なお、貯血槽１内での血液の増減に伴う空気の出入は、この脱気口５ｅを介して行われる。
【００３８】
このようなハウジング２において、貯血空間２５の容積は特に限定されないが、例えば、成人用では３０００〜５０００ｍｌ程度、小児用では１０００〜２５００ｍｌ程度とするのが好ましい。
【００３９】
ハウジング本体３および蓋体４の構成材料としては、例えば、ポリカーボネート、アクリル樹脂、ポリエチレンテレフタレート、ポリエチレン、ポリプロピレン、ポリスチレン、ポリ塩化ビニル、アクリル−スチレン共重合体、アクリル−ブタジエン−スチレン共重合体等を挙げることができ、このなかでも特に、ポリカーボネート、アクリル樹脂、ポリスチレン、ポリ塩化ビニルが好ましい。
【００４０】
また、ハウジング本体３および蓋体４は、貯血量（血液量）や内部の血液の状態を目視で確認することができるように、実質的に透明であるのが好ましい。ここで、「実質的に透明」とは、可視光の透過度が８５％以上の透明性を有するものをいう。また、「実質的に透明」には、無色透明の他、有色（着色）透明も含まれる。
【００４１】
このような貯血槽１には、貯血空間２５に流入した血液中に含まれる異物および気泡を除去する２つの濾過消泡装置７ａおよび７ｂが設置されている。
【００４２】
濾過消泡装置７ａは、血液流入口５ａからのベント血と血液流入口５ｂからの吸引血とがその内部に流入するものであり、カーディオトミーフィルタを構成するものである。また、濾過消泡装置７ｂは、大静脈から脱血した血液に含まれる気泡や異物を除去するものである。
【００４３】
各濾過消泡装置７ａ、７ｂは、それぞれ、袋状をなすフィルタ部材７１と、フィルタ部材７１内に収納された（設置された）消泡部材７２とを有している。
【００４４】
各フィルタ部材７１は、それぞれ、その上端部（開口部）が蓋体４に支持されている。また、各フィルタ部材７１の素材は、十分な血液の透過性を有する多孔質材料で構成される。このような多孔質材料としては、メッシュ（ネット）状のもの、織布、不織布等が挙げられ、これらを単独でまたは任意に組み合わせて（特に積層して）用いることができる。本発明では、フィルタ部材７１としては、不織布を含んでいるのが好ましい。不織布は、血液の透過性に優れるとともに、血液中の異物を有効に除去することができるからである。フィルタ部材７１の構成材料、特に不織布の構成材料としては、ＰＥＴ、ＰＢＴのようなポリエステル、ナイロン（ポリアミド）、テトロン、レーヨン、ポリプロピレン、ポリエチレンのようなポリオレフィン、ポリ塩化ビニル等の高分子材料、あるいはこれらのうちの２以上を組み合わせたものが挙げられるが、そのなかでも、特に、ポリエステル、ポリプロピレン、ポリエチレンが好ましい。
【００４５】
消泡部材７２は、消泡剤（例えばシリコーン）を担持した発泡体（例えば発泡ポリウレタン）であり、気泡が接触すると破泡するような機能を有する。
【００４６】
さて、ハウジング本体３（ハウジング２）の貯血空間２５を囲む側壁３３は、その一部（図２中で示される部分）が鉛直方向に沿った長尺状の長尺状部３３１となっている。図２に示すように、この長尺状部３３１には、目盛り８とマーカ（マーキング）９とが付されて（設けられて）いる。
【００４７】
目盛り８は、貯血空間２５内の血液の液量（貯血量）を示すものである。この目盛り８は、０〜４６００ｍＬの範囲内の液量を示すことができる。目盛り８は、下側から順に、下目盛り８１と、中間目盛り８２と、上目盛り８３とに分けられている。下目盛り８１は、０〜２００ｍＬの範囲内の液量を示す目盛りである。中間目盛り８２は、２００〜１０００ｍＬの範囲内の液量を示す目盛りである。上目盛り８３は、１０００〜４６００ｍＬの範囲内の液量を示す目盛りである。貯血槽１を使用しているときには、当該貯血槽１（貯血空間２５）内の血液の液面Ｌが中間目盛り８２の範囲内に位置するように調整するのが好ましい。このように、目盛り８において、中間目盛り８２は、当該中間目盛り８２の範囲内に液量が位置するか否かを最も注意するべき注意領域となっている。なお、液面Ｌの高さの調整は、例えば、送血ポンプ８０５の回転数を適宜調整することにより、行うことができる。
【００４８】
また、中間目盛り８２には、単位目盛り当たりに示す液量が異なる（目盛りピッチの大きさが異なる）２種類の目盛りが配されている。これらの目盛りのうち、目盛りピッチが大きい目盛りを大ピッチ目盛り８２１と言い、目盛りピッチが小さい目盛りを小ピッチ目盛り８２２と言う。大ピッチ目盛り８２１は、２００ｍＬ、３００ｍＬ、４００ｍＬ、５００ｍＬ、６００ｍＬ、７００ｍＬ、８００ｍＬ、９００ｍＬ、１０００ｍＬの液量を示す９つの主目盛り８２３を有している。小ピッチ目盛り８２２は、大ピッチ目盛り８２１とほぼ同様の９つの主目盛り８２３の他に、これら主目盛り８２３間の液量を示す補助目盛り８２４をさらに有している。
【００４９】
図２に示すように、貯血槽１では、下目盛り８１と、中間目盛り８２の大ピッチ目盛り８２１と、上目盛り８３とが鉛直方向に沿って直線的に配置されている。また、これらの目盛りは、長尺状部３３１の水平方向（幅方向）の中央部に位置している。
【００５０】
なお、目盛り８を長尺状部３３１に付す方法としては、特に限定されないが、例えば、目盛り８を長尺状部３３１に印刷する方法、目盛り８が印刷されたシート材を長尺状部３３１に接着剤で接着する方法等が挙げられる。
【００５１】
目盛り８の色としては、特に限定されないが、白色、黄色、緑色等のような、血液と異なる色であるのが好ましい。また、下目盛り８１と中間目盛り８２と上目盛り８３とが互いに異なる色で着色されていてもよい。さらに、中間目盛り８２でも、大ピッチ目盛り８２１と小ピッチ目盛り８２２とが互いに異なる色で着色されていてもよい。
【００５２】
図２、図３に示すように、ハウジング本体３の長尺状部３３１には、輪郭形状が円形をなすマーカ９が付されている。このマーカ９は、貯血空間２５内の血液の液面Ｌの高さが変化した際、その変化を強調する機能を有するものである（図３参照）。
【００５３】
マーカ９は、その水平方向中央部が中間目盛り８２の大ピッチ目盛り８２１と重なるように設けられている。すなわち、マーカ９は、その水平方向中央部上に中間目盛り８２の大ピッチ目盛り８２１が位置するように設けられている。このように設けられたマーカ９は、その下端９１が大ピッチ目盛り８２１の２００ｍＬの目盛りと一致しており、上端９２が大ピッチ目盛り８２１の１０００ｍＬの目盛りと一致している。
また、マーカ９の色は、血液と同色、すなわち、赤色となっている。
【００５４】
このような構成のマーカ９の作用について、図３を参照しつつ説明する。図３では、液面Ｌが徐々に下降している状態を一例として示している。
【００５５】
図３（ａ）に示すように、液面Ｌは、マーカ９の上端９２に達してさらに下降し、当該上端９２よりも若干下方に位置している。また、マーカ９は、赤色を帯びたものであるため、貯血槽１を矢印Ａ側から見た場合、長尺状部３３１では、赤い液面Ｌから円弧状（液面Ｌに対し非平行）に突出した赤い部分（以下この部分を「突出部９３」と言う）があるように視認される。
【００５６】
そして、図３（ａ）状態から液面Ｌがさらに下降すると、その下降量に応じて、マーカ９の輪郭線９０と液面Ｌとが交差する２つの交点９０１、９０２の間の長さ、すなわち、突出部９３の幅ｗ（水平方向の長さ）とが増加する（増大する）。また、この幅ｗが増加するのに伴って、突出部９３の高さｈ（鉛直方向の長さ）も増加する（図３（ｂ）参照）。これにより、図３（ｂ）の状態の突出部９３は、その大きさ（突出量）が図３（ａ）状態の突出部９３よりも大きくなった（突出した）ように視認される。
【００５７】
図３（ｃ）に示すように、さらに図３（ｂ）状態から液面Ｌが下降すると、前記と同様に、図３（ｃ）の状態の突出部９３は、その大きさが図３（ｂ）状態の突出部９３よりも大きくなったように視認される。このような突出部９３が大きくなる現象は、液面Ｌがマーカ９の最大幅ｗｍａｘの部分に達するまで続く。そして、液面Ｌがマーカ９の最大幅ｗｍａｘの部分を越える（下回る）と、突出部９３の幅ｗが減少に転じる（短くなっていく）。
【００５８】
このように、貯血槽１では、貯血空間２５内の血液の液面Ｌの高さが変位した（変化した）際、マーカ９において（中間目盛り８２の範囲内で）突出部９３の大きさの変化が生じるように視認される。この大きさの変化により、液面Ｌの挙動（高さの変位）が強調され、よって、当該挙動を迅速に確認することができる。そして、貯血空間２５内の血液が将来過剰となっていくのか、それとも不足していくのかを予測することができる。図３に示す状態では、貯血空間２５内の血液が将来不足していく、すなわち、液面Ｌ（液量）が中間目盛り８２の範囲から外れることが予想される。この予想に基づいて、前述したように、液面Ｌが中間目盛り８２の範囲内に位置し続けるように、例えば、ポンプ８０２、８０３または送血ポンプ８０５の回転数を適宜調整する。
【００５９】
また、図２に示すうように、マーカ９が付されている範囲内に液面Ｌがあるときには、当該液面Ｌの位置を、マーカ９から離間している（マーカ９と重なっていない）小ピッチ目盛り８２２で確認することにより、そのときの液量を把握することができる。
【００６０】
また、マーカ９を長尺状部３３１に付す方法としては、特に限定されないが、例えば、前述した目盛り８を長尺状部３３１に付す方法で挙げたような方法を用いることができる。
【００６１】
＜第２実施形態＞
図４は、本発明の貯血槽の第２実施形態を示す正面図である。
【００６２】
以下、この図を参照して本発明の貯血槽の第２実施形態について説明するが、前述した実施形態との相違点を中心に説明し、同様の事項はその説明を省略する。
本実施形態は、マーカの形状が異なること以外は前記第１実施形態と同様である。
【００６３】
図４に示す貯血槽１Ａでは、マーカ９Ａが円環状（リング状）をなしている、すなわち、マーカ９Ａにその中心部が開口した窓部９４が形成されている。このようなマーカ９Ａが設けられていることにより、液面Ｌが中間目盛り８２の範囲内にあるときには、当該液面Ｌの位置を、マーカ９Ａの内側（窓部９４）にある大ピッチ目盛り８２１で確認することにより、そのときの液量を把握することができる。なお、液量は、小ピッチ目盛り８２２（図４中では省略）でも把握することができる。また、マーカ９Ａにより、液面Ｌが過剰に隠れるのを防止することができると言う利点もある。
【００６４】
＜第３実施形態＞
図５は、本発明の貯血槽の第３実施形態を示す正面図である。なお、図５中では、目盛りが省略されている。
【００６５】
以下、この図を参照して本発明の貯血槽の第３実施形態について説明するが、前述した実施形態との相違点を中心に説明し、同様の事項はその説明を省略する。
本実施形態は、マーカの形状が異なること以外は前記第１実施形態と同様である。
【００６６】
図５に示す貯血槽１Ｂでは、マーカ９Ｂが正三角形をなしている。このマーカ９Ｂは、その頂点が上方に位置して上端９２となり、底面が下方に位置して下端９１となるように配置されている。このようなマーカ９Ｂでは、上端９２から斜め下方に延びる２つの斜面（斜線）９５（液面Ｌに対し非平行な部分）で囲まれた部分が、突出部９３となる。貯血空間２５内の血液の液面Ｌの高さが変位した際、前述したように、この突出部９３の大きさに変化が生じて、液面Ｌの挙動を迅速に確認することができる。
【００６７】
なお、マーカ９Ｂは、その頂点が上方に位置し、底面が下方に位置するように配置されているが、これに限定されず、頂点が下方に位置し、底面が上方に位置するように配置されていてもよい、すなわち、いわゆる逆三角形となるように配置されていてもよい。
【００６８】
＜第４実施形態＞
図６は、本発明の貯血槽の第４実施形態を示す正面図である。なお、図６中では、目盛りが省略されている。
【００６９】
以下、この図を参照して本発明の貯血槽の第４実施形態について説明するが、前述した実施形態との相違点を中心に説明し、同様の事項はその説明を省略する。
本実施形態は、マーカの形状が異なること以外は前記第１実施形態と同様である。
【００７０】
図６に示す貯血槽１Ｃでは、マーカ９Ｃが長方形をなしている。このマーカ９Ｃは、その長手方向が鉛直方向と一致するように配置されている。このようなマーカ９Ｃでは、上端９２を構成する短辺と２本の長辺９６（液面Ｌに対し非平行な部分）とで囲まれた部分が、突出部９３となる。貯血空間２５内の血液の液面Ｌの高さが変位した際、前述したように、この突出部９３の大きさ（突出量）に変化が生じて、液面Ｌの挙動を迅速に確認することができる。
【００７１】
なお、マーカ９Ｃは、その長手方向が鉛直方向と一致するように配置されているが、これに限定されず、例えば、その長手方向が水平方向と一致するように配置されていてもよい。
【００７２】
＜第５実施形態＞
図７は、本発明の貯血槽の第５実施形態を示す正面図である。
【００７３】
以下、この図を参照して本発明の貯血槽の第５実施形態について説明するが、前述した実施形態との相違点を中心に説明し、同様の事項はその説明を省略する。
本実施形態は、マーカの構成が異なること以外は前記第１実施形態と同様である。
【００７４】
図７に示す貯血槽１Ｄでは、マーカ９Ｄが赤色に着色された実質的に透明（有色透明）なものとなっている。ここで、「実質的に透明」とは、可視光の透過度が８５％以上の透明性を有するものをいう。また、マーカ９Ｄにおける透過度は、ハウジング本体３における透過度と同じであってもよいし、異なっていてもよい。
【００７５】
このようなマーカ９Ｄが設けられていることにより、液面Ｌが中間目盛り８２の範囲内にあるときには、当該液面Ｌの位置を、マーカ９Ｄ自体を介して視認される大ピッチ目盛り８２１で確認することにより、そのときの液量を把握することができる。なお、液量は、小ピッチ目盛り８２２（図７中では省略）でも把握することができる。
【００７６】
＜第６実施形態＞
図８は、本発明の貯血槽の第６実施形態を示す正面図である。
【００７７】
以下、この図を参照して本発明の貯血槽の第６実施形態について説明するが、前述した実施形態との相違点を中心に説明し、同様の事項はその説明を省略する。
本実施形態は、マーカの構成が異なること以外は前記第１実施形態と同様である。
【００７８】
図８に示す貯血槽１Ｅでは、マーカ９Ｅは、１枚の円形のシート材で構成され、当該シート材の裏面を接着剤で接着することにより、ハウジング２（長尺状部３３１）に貼付されている。なお、接着剤は、その接着強度が、ハウジング２に貼付されたマーカ９Ｅを剥離可能な程度のものである。
【００７９】
このマーカ９Ｅ（シート材）には、下端９１を始点および終点として、円形状（リング状）に切り込まれた２本の切り込み部（破断部）９７ａ、９７ｂが形成されている。切り込み部９７ａの直径は、切り込み部９７ｂの直径よりも大きく設定されている。切り込み部９７ａ、９７ｂにより、マーカ９Ｅは、外径（大きさ）が異なる３枚の部材（貼着物）に分けられている。以下、これらの部材を外側からそれぞれ「第１のシート９８ａ」、「第２のシート９８ｂ」、「第３のシート９８ｃ」と言う。
【００８０】
第１のシート９８ａ、第２のシート９８ｂ、第３のシート９８ｃは、それぞれ、その下端９１が共通であり、当該下端９１の高さ（位置）が中間目盛り８２の小ピッチ目盛り８２２の２００ｍＬの目盛りに一致している。
【００８１】
第１のシート９８ａの上端９２ａは、その高さが中間目盛り８２の小ピッチ目盛り８２２の１０００ｍＬの目盛りに一致している。第２のシート９８ｂの上端９２ｂは、その高さが中間目盛り８２の小ピッチ目盛り８２２の７００ｍＬの目盛りに一致している。第３のシート９８ｃの上端９２ｃは、その高さが中間目盛り８２の小ピッチ目盛り８２２の５００ｍＬの目盛りに一致している。
【００８２】
このように構成されたマーカ９Ｅは、例えば、次のようにして用いられる。
マーカ９Ｅの上端９２を小ピッチ目盛り８２２の１０００ｍＬの目盛りと一致した状態で当該マーカ９Ｅを用いたい場合には、マーカ９Ｅをそのままの状態、すなわち、第１のシート９８ａ、第２のシート９８ｂ、第３のシート９８ｃのいずれも剥離せず（除去せず）に用いる（図８（ａ）参照）。
【００８３】
また、マーカ９Ｅの上端９２を小ピッチ目盛り８２２の７００ｍＬの目盛りと一致した状態で当該マーカ９Ｅを用いたい、すなわち、前記注意領域を小ピッチ目盛り８２２の２００〜７００ｍＬの範囲内に設定したい場合には、第１のシート９８ａ、第２のシート９８ｂおよび第３のシート９８ｃのうちの第１のシート９８ａを剥離し、第２のシート９８ｂおよび第３のシート９８ｃをそのままの状態で用いる（図８（ｂ）参照）。
【００８４】
また、マーカ９Ｅの上端９２を小ピッチ目盛り８２２の５００ｍＬの目盛りと一致した状態で当該マーカ９Ｅを用いたい、すなわち、前記注意領域を小ピッチ目盛り８２２の２００〜５００ｍＬの範囲内に設定したい場合には、第１のシート９８ａ、第２のシート９８ｂおよび第３のシート９８ｃのうちの第１のシート９８ａおよび第２のシート９８ｂを剥離し、第３のシート９８ｃをそのままの状態で用いる（図８（ｃ）参照）。
【００８５】
このように、マーカ９Ｅは、第１のシート９８ａ、第２のシート９８ｂおよび第３のシート９８ｃのうちの所定のシートを適宜選択して使用することにより、マーカ９Ｅ自体の大きさを変えることができる。これにより、例えば、前述したように、前記注意領域としたい小ピッチ目盛り８２２の範囲に対応したマーカ９Ｅを設定することができる。
【００８６】
＜第７実施形態＞
図９は、本発明の貯血槽の第７実施形態を示す正面図である。
【００８７】
以下、この図を参照して本発明の貯血槽の第７実施形態について説明するが、前述した実施形態との相違点を中心に説明し、同様の事項はその説明を省略する。
本実施形態は、マーカの構成が異なること以外は前記第１実施形態と同様である。
【００８８】
図９に示す貯血槽１Ｆでは、マーカ９Ｆは、１枚の円形のシート材で構成され、当該シート材の裏面を接着剤で接着することにより、ハウジング２に貼付されている。なお、接着剤は、その接着強度が、ハウジング２に貼付されたマーカ９Ｆを剥離可能な程度のものである。
【００８９】
このマーカ９Ｆには、上端９２を始点および終点として、円形状に切り込まれた２本の切り込み部９７ａ、９７ｂが形成されている。切り込み部９７ａの直径は、切り込み部９７ｂの直径よりも大きく設定されている。切り込み部９７ａ、９７ｂにより、マーカ９Ｆは、外径が異なる３枚の部材に分けられている。以下、これらの部材を外側からそれぞれ「第１のシート９８ａ」、「第２のシート９８ｂ」、「第３のシート９８ｃ」と言う。
【００９０】
第１のシート９８ａ、第２のシート９８ｂ、第３のシート９８ｃは、それぞれ、その上端９２が共通であり、当該上端９２の高さが中間目盛り８２の小ピッチ目盛り８２２の１０００ｍＬの目盛りに一致している。
【００９１】
第１のシート９８ａの下端９１ａは、その高さが中間目盛り８２の小ピッチ目盛り８２２の２００ｍＬの目盛りに一致している。第２のシート９８ｂの下端９１ｂは、その高さが中間目盛り８２の小ピッチ目盛り８２２の３００ｍＬの目盛りに一致している。第３のシート９８ｃの下端９１ｃは、その高さが中間目盛り８２の小ピッチ目盛り８２２の４００ｍＬの目盛りに一致している。
【００９２】
このように構成されたマーカ９Ｆは、例えば、次のようにして用いられる。
マーカ９Ｆの下端９１を小ピッチ目盛り８２２の２００ｍＬの目盛りと一致した状態で当該マーカ９Ｆを用いたい場合には、マーカ９Ｆをそのままの状態、すなわち、第１のシート９８ａ、第２のシート９８ｂ、第３のシート９８ｃのいずれも剥離せずに用いる（図９（ａ）参照）。
【００９３】
また、マーカ９Ｆの下端９１を小ピッチ目盛り８２２の３００ｍＬの目盛りと一致した状態で当該マーカ９Ｆを用いたい、すなわち、前記注意領域を小ピッチ目盛り８２２の３００〜１０００ｍＬの範囲内に設定したい場合には、第１のシート９８ａ、第２のシート９８ｂおよび第３のシート９８ｃのうちの第１のシート９８ａを剥離し、第２のシート９８ｂおよび第３のシート９８ｃをそのままの状態で用いる（図９（ｂ）参照）。
【００９４】
また、マーカ９Ｆの下端９１を小ピッチ目盛り８２２の４００ｍＬの目盛りと一致した状態で当該マーカ９Ｆを用いたい、すなわち、前記注意領域を小ピッチ目盛り８２２の４００〜１０００ｍＬの範囲内に設定したい場合には、第１のシート９８ａ、第２のシート９８ｂおよび第３のシート９８ｃのうちの第１のシート９８ａおよび第２のシート９８ｂを剥離し、第３のシート９８ｃをそのままの状態で用いる（図９（ｃ）参照）。
【００９５】
このように、マーカ９Ｆは、第１のシート９８ａ、第２のシート９８ｂおよび第３のシート９８ｃのうちの所定のシートを適宜選択して使用することにより、マーカ９Ｆ自体の大きさを変えることができる。これにより、例えば、前述したように、前記注意領域としたい小ピッチ目盛り８２２の範囲に対応したマーカ９Ｆを設定することができる。
【００９６】
以上、本発明の貯血槽を図示の実施形態について説明したが、本発明は、これに限定されるものではなく、貯血槽を構成する各部は、同様の機能を発揮し得る任意の構成のものと置換することができる。また、任意の構成物が付加されていてもよい。
【００９７】
また、本発明の貯血槽は、前記各実施形態のうちの、任意の２以上の構成（特徴）を組み合わせたものであってもよい。
【００９８】
例えば、前記第３〜第７実施形態のマーカが、前記第２実施形態のマーカのようにリング状となっていてもよい。
【００９９】
また、例えば、前記第２〜第４、第６および第７実施形態のマーカが、前記第５実施形態のマーカのように透明なものとなっていてもよい。
【０１００】
また、マーカの形状としては、液面が下降していくに従い、液面とマーカの接線との角度が変化していき、高さ方向だけでなく、横（幅）方向も変化していき、さらに、マーカの下端が予測することができる円形が好ましい。また、円形の他、三角形や四角形等のような多角形や、ハート形でもよい。
【０１０１】
また、マーカの色は、前記各実施形態では赤色であったが、これに限定されない。ただし、血液と同色の赤色系が好ましい。
【符号の説明】
【０１０２】
１、１Ａ、１Ｂ、１Ｃ、１Ｄ、１Ｅ、１Ｆ  貯血槽
２              ハウジング
２５            貯血空間
３              ハウジング本体
３１            突出部
３２            底部
３３            側壁
３３１          長尺状部
４              蓋体
５ａ、５ｂ、５ｃ  血液流入口
５ｄ            プライミング液注入口
５ｅ            脱気口
６              血液流出口
７ａ、７ｂ      濾過消泡装置
７１            フィルタ部材
７２            消泡部材
８              目盛り
８１            下目盛り
８２            中間目盛り
８２１          大ピッチ目盛り
８２２          小ピッチ目盛り
８２３          主目盛り
８２４          補助目盛り
８３            上目盛り
９、９Ａ、９Ｂ、９Ｃ、９Ｄ、９Ｅ、９Ｆ  マーカ（マーキング）
９０            輪郭線
９０１、９０２  交点
９１、９１ａ、９１ｂ、９１ｃ  下端
９２、９２ａ、９２ｂ、９２ｃ  上端
９３            突出部
９４            窓部
９５            斜面（斜線）
９６            長辺
９７ａ、９７ｂ  切り込み部（破断部）
９８ａ          第１のシート
９８ｂ          第２のシート
９８ｃ          第３のシート
８００          ベント吸引ライン
８０１          心腔（胸腔）内吸引ライン
８０２、８０３  ポンプ
８０４          脱血ライン
８０５          送血ポンプ
８０６          人工肺
８０７          動脈フィルタ
８０８          送血ライン
Ｌ              液面
ｍ、ｗ          幅
ｗｍａｘ        最大幅
【図１】
2010207349.tif 000003
【図２】
2010207349.tif 000004
【図３】
2010207349.tif 000005
【図４】
2010207349.tif 000006
【図５】
2010207349.tif 000007
【図６】
2010207349.tif 000008
【図７】
2010207349.tif 000009
【図８】
2010207349.tif 000010
【図９】
2010207349.tif 000011
【図１０】
2010207349.tif 000012